(57)【要約】【課題】低温の場合であっても、蓄電池の放電容量を簡易に確保する。【解決手段】第１取得部４２は、商用電源からの電力を受けつけ可能な特定負荷２４に接続された蓄電池の近傍の温度を取得する。第１指示部４６は、取得した温度がしきい値よりも低い場合に、特定負荷２４から蓄電池１２を切断させるとともに、特定負荷２４とは異なった消費用負荷６２に蓄電池１２を接続させる。第２指示部４８は、蓄電池１２と接続された消費用負荷６２に、蓄電池１２の電力を供給させるために、蓄電池１２を放電させる。第２指示部４８は、時間の経過とともに、放電の際の電力を増加させる。第３指示部５０は、放電がなされた後、蓄電池１２を充電させる。【選択図】図２
2013198270.tif 000002
【特許請求の範囲】
【請求項１】
商用電源からの電力を受けつけ可能な第１種負荷に接続された蓄電池の近傍の温度を取得する取得部と、
前記取得部において取得した温度がしきい値よりも低い場合に、前記第１種負荷から前記蓄電池を切断させるとともに、前記第１種負荷とは異なった第２種負荷に前記蓄電池を接続させる第１指示部と、
前記第１指示部によって前記蓄電池と接続された前記第２種負荷に、前記蓄電池の電力を供給させるために、前記蓄電池を放電させる第２指示部と、
前記第２指示部によって放電がなされた後、前記蓄電池を充電させる第３指示部とを備え、
前記第２指示部は、時間の経過とともに、放電の際の電力を増加させることを特徴とする制御装置。
【請求項２】
前記取得部は、再生可能エネルギー発電装置から前記蓄電池に入力される電流の値も取得し、
前記第１指示部は、前記取得部において取得した温度がしきい値よりも低い場合に加えて、前記取得部において取得した電流の値が別のしきい値よりも大きい場合に、前記第１種負荷から前記蓄電池を切断させるとともに、前記第１種負荷とは異なった第２種負荷に前記蓄電池を接続させることを特徴とする請求項１に記載の制御装置。
【請求項３】
前記第２指示部によって前記蓄電池の電力が供給された前記第２種負荷は、発熱することを特徴とする請求項１または２に記載の制御装置。
【請求項４】
前記第２指示部によって放電がなされている場合、放電中であることを通知する通知部をさらに備えることを特徴とする請求項１から３のいずれかに記載の制御装置。
【発明の詳細な説明】
【技術分野】
【０００１】
本発明は、制御技術に関し、特に蓄電池の動作を制御する制御装置に関する。
【背景技術】
【０００２】
太陽電池を用いた配電システムに蓄電池が接続される場合、太陽電池において発電された電力は、蓄電池に蓄えられる。曇りや夜間など、発電された電力が負荷の要求する消費電力を下回る場合、蓄電池に蓄えられた電力が、負荷に供給されることによって、消費電力が満たされる。このような構成によって、太陽電池において発電される電力が不足した場合にも、負荷に安定的に電力が供給される。
【０００３】
このような蓄電池は屋外に設置されることが多く、冬期には蓄電池の温度が低下する。温度が低くなると、蓄電池の放電容量の確保が困難になる。そのため、温度が低い状態で大電流で蓄電池を充電すると、蓄電池は、すぐに満充電電圧に到達する。これは、定電流充電可能な期間が短くなることに相当する。これにより、太陽電池が蓄電池に直接接続されている場合、太陽電池からの電流量を調節できないので、定電流充電ができなくなってしまう。その結果、温度が低い場合、発電量が十分に多いにもかかわらず、蓄電池は十分に充電されなくなる。これに対応するために、放電回路により満充電状態の蓄電池を放電させて、その放電により蓄電池の温度を上昇させ、その後、蓄電池を満充電状態となるまで充電することが提案されている（例えば、特許文献１参照）。
【先行技術文献】
【特許文献】
【０００４】
【特許文献１】特開２００１−９５１７１号公報
【発明の概要】
【発明が解決しようとする課題】
【０００５】
放電による発熱を期待する場合、ある程度の大きさの負荷に対して蓄電池から電力を供給する必要がある。しかしながら、低温時に定電流充電を実行すると、蓄電池はすぐに満充電電圧に達するのと同様に、低温時に定電流放電を実行すると、蓄電池はすぐに過放電電圧に向かう傾向がある。そのため、蓄電池に十分な電力が残っていないと、放電状態を維持できない。放電状態が維持されなければ、蓄電池は十分に暖められない。
【０００６】
本発明はこうした状況に鑑みてなされたものであり、その目的は、低温の場合であっても、蓄電池の放電容量を簡易に確保する技術を提供することにある。
【課題を解決するための手段】
【０００７】
上記課題を解決するために、本発明のある態様の制御装置は、商用電源からの電力を受けつけ可能な第１種負荷に接続された蓄電池の近傍の温度を取得する取得部と、取得部において取得した温度がしきい値よりも低い場合に、第１種負荷から蓄電池を切断させるとともに、第１種負荷とは異なった第２種負荷に蓄電池を接続させる第１指示部と、第１指示部によって蓄電池と接続された第２種負荷に、蓄電池の電力を供給させるために、蓄電池を放電させる第２指示部と、第２指示部によって放電がなされた後、蓄電池を充電させる第３指示部とを備える。第２指示部は、時間の経過とともに、放電の際の電力を増加させる。
【０００８】
なお、以上の構成要素の任意の組合せ、本発明の表現を方法、装置、システム、記録媒体、コンピュータプログラムなどの間で変換したものもまた、本発明の態様として有効である。
【発明の効果】
【０００９】
本発明によれば、低温の場合であっても、蓄電池の放電容量を簡易に確保できる。
【図面の簡単な説明】
【００１０】
【図１】図１（ａ）−（ｃ）は、本発明の実施例に係る配電システムの構成を示す図である。
【図２】図１（ａ）−（ｃ）の配電システムの構成を詳細に示す図である。
【図３】図３（ａ）−（ｂ）は、図２の第１指示部に記憶されたテーブルのデータ構造を示す図である。
【図４】図２の制御部による処理を示す図である。
【図５】図２の制御部の制御による蓄電池の容量と温度の時間変化を示す図である。
【図６】図２の制御部の制御による放電電力の時間変化を示す図である。
【図７】図２の制御部の処理手順を示すフローチャートである。
【発明を実施するための形態】
【００１１】
本発明を具体的に説明する前に、概要を述べる。本発明の実施例は、太陽電池を商用電力系統と並列に接続し、商用電源および太陽電池の両方から負荷へ電力を供給するとともに、蓄電池を充電する配電システムに関する。このように蓄電池は、商用電源および太陽電池によって充電される。一般的に充電処理では、まず定電流充電がなされ、満充電近くになると、定電流充電が定電圧充電に切りかえられる。前述のごとく、蓄電池の温度が低い場合、蓄電池の内部抵抗が高くなるので、電流充電がほとんどできなくなってしまう。商用電源の場合、蓄電池に供給する電流の量を制御できるが、太陽電池の場合、発電される電力を制御できないので、蓄電池に供給する電流の量も制御できない。その結果、蓄電池が低温であり、かつ太陽電池からの電流の量が多い場合、太陽電池において発電される電力が十分多くても、蓄電池は十分に充電されないという現象が生じる。これに対応するために、本実施例は、次の処理を実行する。
【００１２】
蓄電池は、インバータ機能やコンバータ機能を有した変換装置を介して、電力を消費させるための負荷（以下、「消費用負荷」という）に接続可能である。消費用負荷は、低温時に蓄電池を放電させた場合だけに、電力を供給すべき負荷であり、通常の負荷とは選択的に切りかえられる。蓄電池の温度が第１しきい値よりも低い場合に、蓄電池は通常の負荷から切断され、消費用負荷に接続される。また、蓄電池は、消費用負荷に電力を供給するために放電を実行する。その際、変換装置でのインバータ機能は、時間の経過とともに出力電圧が徐々に大きくなるように制御する。このような制御によって、消費用負荷に供給される電力は徐々に大きくなる。そのため、少ない電力の放電で蓄電池を暖めながら、放電の電力を徐々に大きくすることによって、最終的には消費用負荷に供給する電力が十分大きくされる。また、蓄電池が暖まってから放電の電力が大きくされるので、放電状態が維持される。
【００１３】
図１（ａ）−（ｃ）は、本発明の実施例に係る配電システム１００の構成を示す。図１（ａ）において配電システム１００は、太陽電池１０、蓄電池１２、変換装置１４、管理装置１６、第１ＳＷ１８、第２ＳＷ２０、商用電源２２、特定負荷２４、一般負荷２６を含む。商用電源２２は、電力会社からの電力を供給するための交流電源である。図１（ａ）は、商用電源２２が停電していない場合（以下、「通常時」という）における配電システム１００の構成に相当する。
【００１４】
太陽電池１０は、光起電力効果を利用し、光エネルギーを直接電力に変換する電力機器である。太陽電池１０として、シリコン太陽電池、さまざまな化合物半導体などを素材にした太陽電池、色素増感型（有機太陽電池）等が使用される。太陽電池１０は、発電した電力を出力する。蓄電池１２は、充電を行うことにより電気を蓄えて電池として使用できるようになり、繰り返し使用することができる２次電池である。蓄電池１２は、再生可能エネルギー源をもとに発電した電力、つまり太陽電池１０において発電した電力、あるいは商用電源２２からの電力によって充電される。
【００１５】
変換装置１４は、一端側に太陽電池１０を接続する。変換装置１４と太陽電池１０との経路は、途中で分岐されており、分岐された経路には、蓄電池１２が接続される。つまり、変換装置１４の一端側には、分岐点を介して、太陽電池１０と蓄電池１２とが並列に接続される。また、変換装置１４は、他端側に商用電源２２を接続する。変換装置１４の動作は後述する。管理装置１６は、蓄電池１２の動作を制御するための指示を変換装置１４に出力する。
【００１６】
一般負荷２６は、交流駆動型の電気機器である。一般負荷２６は、変換装置１４と商用電源２２との間の経路から分岐された経路に接続される。なお、変換装置１４と商用電源２２との間の経路上であって、かつ商用電源２２への分岐点から商用電源２２側には、図示しない逆潮流センサ、分電盤が接続される。逆潮流センサは、分電盤と商用電源２２との間に設置され、分電盤から商用電源２２に向かう電力を検出する。これは、電力が分電盤から商用電源２２に向かうことを防止するためである。逆潮流センサにおける検出処理には、公知の技術が使用されればよいので、ここでは、説明を省略する。
【００１７】
第１ＳＷ１８、第２ＳＷ２０は、管理装置１６からの指示に応じて経路を変更するためのスイッチである。第１ＳＷ１８、第２ＳＷ２０のオン／オフや切替は、変換装置１４によって指示される。なお、管理装置１６によって指示されてもよい。通常時において、第１ＳＷ１８は、オンされ、第２ＳＷ２０は、Ｙ側の端子に接続される。その結果、第２ＳＷ２０のＹ側の端子と特定負荷２４とが接続される。なお、特定負荷２４は、一般負荷２６と同様に、交流駆動型の電気機器である。このような形態によって、通常時の（１）充電と（２）放電は、次のようになされる。
【００１８】
（１）通常時の充電
電力会社が時間帯別電気料金制度を採用している場合、夜間の時間帯の電気料金は、昼間の時間帯の電気料金よりも低く設定される。また、一例として、昼間の時間帯は７時から２３時であり、夜間の時間帯は２３時から翌日の７時というように規定される。そのため、夜間の時間帯において、商用電源２２から供給される電力は、第１ＳＷ１８、変換装置１４を介して蓄電池１２に充電される。その際、変換装置１４は、商用電源２２から入力した交流電力を直流電力に変換し、直流電力を蓄電池１２に出力する。また、昼間の時間帯において、太陽電池１０が発電した電力は、変換装置１４に出力される。太陽電池１０が発電した電力が、特定負荷２４、一般負荷２６において消費される電力よりも多い場合、余剰の電力が蓄電池１２に充電される。
【００１９】
（２）通常時の放電
特定負荷２４、一般負荷２６において消費される電力が多くなる時間帯において、商用電源２２からの電力の消費を低減するために、蓄電池１２に蓄えられた電力が放電される。放電された電力は、変換装置１４、第１ＳＷ１８を介して、特定負荷２４、一般負荷２６に供給される。その際、変換装置１４は、蓄電池１２から入力した直流電力を交流電力に変換し、交流電力を第１ＳＷ１８に出力する。さらに、通常時において、商用電源２２からの電力が特定負荷２４、一般負荷２６に供給されるとともに、太陽電池１０からの電力も特定負荷２４、一般負荷２６に供給される。その際、変換装置１４は、太陽電池１０から入力した直流電力を交流電力に変換し、交流電力を第１ＳＷ１８に出力する。以上の説明のように、変換装置１４は、交流電力を直流電力に変換したり、直流電力を交流電力に変換したりするが、これらの変換処理として公知の技術が使用されればよいので、ここでは説明を省略する。
【００２０】
図１（ｂ）は、商用電源２２が停電している場合（以下、「停電時」という）における配電システム１００の構成に相当する。商用電源２２からの電力の供給がなくなった場合、図示しない分電盤は、停電を検出する。停電を検出した場合、変換装置１４は、第１ＳＷ１８、第２ＳＷ２０とを制御する。具体的に説明すると、停電時において、第１ＳＷ１８がオフされ、第２ＳＷ２０は、Ｘ側の端子に接続される。その結果、特定負荷２４は、変換装置１４に接続されるが、一般負荷２６は、変換装置１４から切り離される。そのため、太陽電池１０からの電力は、変換装置１４に出力され、変換装置１４からの電力が、特定負荷２４に供給される。なお、太陽電池１０からの電力よりも、特定負荷２４において消費される電力が少ない場合、余剰の電力が蓄電池１２に充電される。なお、停電時において、蓄電池１２は、電力を出力してもよい。放電した電力も、変換装置１４に出力され、変換装置１４からの電力が、特定負荷２４に供給される。
【００２１】
このように、特定負荷２４は、通常時において、太陽電池１０、蓄電池１２、商用電源２２から電力の供給を受けることが可能であり、停電時においても太陽電池１０、蓄電池１２から電力の供給を受けることが可能である。一方、一般負荷２６は、通常時において太陽電池１０、蓄電池１２、商用電源２２から電力の供給を受けることが可能であるが、停電時において電力の供給を受けることができない。
【００２２】
図１（ｃ）は、停電時から、商用電源２２が停電していない状態に復旧した場合（以下、「復旧時」という）における配電システム１００の構成に相当する。停電時において、商用電源２２からの電力の供給が回復した場合、図示しない分電盤は、復旧を検出する。復旧を検出した場合、変換装置１４は、第２ＳＷ２０を制御する。具体的に説明すると、復旧時において、第１ＳＷ１８のオフが維持され、第２ＳＷ２０は、Ｙ側の端子に接続される。その結果、特定負荷２４および一般負荷２６は、変換装置１４から切り離され、商用電源２２に接続される。その結果、商用電源２２からの電力は、特定負荷２４、一般負荷２６に供給される。なお、変換装置１４には、特定負荷２４および一般負荷２６が接続されていないので、変換装置１４は、交流電力を出力しない。太陽電池１０において発電された電力は、蓄電池１２に供給される。
【００２３】
図２は、配電システム１００の構成を詳細に示す。配電システム１００は、太陽電池１０、蓄電池１２、変換装置１４、管理装置１６、第１ＳＷ１８、第２ＳＷ２０、特定負荷２４、電流計３０、温度計３２、第３ＳＷ６０、消費用負荷６２、溶着検出部６４を含む。管理装置１６は、制御部４０を含み、制御部４０は、第１取得部４２、第２取得部４４、第１指示部４６、第２指示部４８、第３指示部５０、通知部５２を含む。図２では、図１（ａ）−（ｃ）に示した配電システム１００のうちの必要な部分を示す。
【００２４】
消費用負荷６２は、第３ＳＷ６０を介して、変換装置１４に接続される。消費用負荷６２は、蓄電池１２からの電力を供給される。消費用負荷６２は、供給された電力によって発熱する。消費用負荷６２の抵抗負荷の値は、通常の状態、例えば三相２００Ｖで蓄電池１２を発熱させるため流すことができる最大の電流値から設定される。なお、第３ＳＷ６０がオフされている場合、消費用負荷６２は、蓄電池１２からの電力を供給されない。
【００２５】
第３ＳＷ６０は、変換装置１４と第１ＳＷ１８との間の経路から分岐された経路に接続される。後述のごとく、第３ＳＷ６０は、制御部４０からの指示によって開閉される。以下では、初期状態として、図１（ａ）のように構成されているとする。そのため、第１ＳＷ１８は、オンされ、第２ＳＷ２０は、Ｙ側に接続され、第３ＳＷ６０はオフされている。
【００２６】
温度計３２は、蓄電池１２の近傍に設置され、蓄電池１２の近傍の温度を測定する。近傍とは、蓄電池１２での温度変化を検出できる程度の距離である。温度の測定には公知の技術が使用されればよい。温度計３２は、測定した温度を出力する。第１取得部４２は、温度計３２から、蓄電池１２の近傍の温度を取得する。第１取得部４２は、温度を第１指示部４６に出力する。
【００２７】
第１指示部４６は、第１取得部４２から温度の値を受けつける。温度が第１しきい値よりも低い場合に、第１指示部４６は、特定負荷２４から蓄電池１２を切断させるとともに、消費用負荷６２に蓄電池１２を接続させる。具体的に説明すると、第１指示部４６は、第１ＳＷ１８をオフさせる。なお、第２ＳＷ２０は、Ｙ側に接続されたままであり、第３ＳＷ６０はオフされたままである。その結果、変換装置１４の交流側には、何も接続されていない状態になる。さらに、第１指示部４６は、この状態において、第３ＳＷ６０をオンする。なお、変換装置１４はまだ停止状態であるが、消費用負荷６２だけが、変換装置１４の交流側に接続されている。一方、温度が第１しきい値以上である場合に、第１指示部４６は、前述の処理を実行せず、初期状態を維持する。
【００２８】
このような処理を実現するために、第１指示部４６は、テーブルを記憶する。図３（ａ）−（ｂ）は、第１指示部４６に記憶されたテーブルのデータ構造を示す。図３（ａ）において示されたように、条件欄２００、処理欄２０２が含まれる。第１指示部４６は、受けつけた温度を条件欄２００と比較し、該当する方の処理を処理欄２０２から選択する。図３（ｂ）は後述し、図２に戻る。第１指示部４６は、第３ＳＷ６０をオンさせた場合、そのことを第２指示部４８に通知する。その他の場合、処理は進められない。
【００２９】
第２指示部４８は、第１指示部４６からの通知を受けつけた場合、第１指示部４６によって蓄電池１２と接続された消費用負荷６２に、蓄電池１２の電力を供給させるために、蓄電池１２を放電させる。つまり、消費用負荷６２に対して変換装置１４を使用して三相電圧が印加される。具体的には、変換装置１４から電力が出力される。以下では、放電の開始タイミングを時間０とする。図４は、制御部４０による処理を示す。初期状態においては、第１ＳＷ１８が閉じられ、第２ＳＷ２０がＹ側に接続され、第３ＳＷ６０が開けられる。また、時間０においては、第１ＳＷ１８が開けられ、第２ＳＷ２０がＹ側に接続され、第３ＳＷ６０が閉じられる。蓄電池１２は放電する。図２に戻る。
【００３０】
なお、第２指示部４８は、時間の経過とともに、放電の際の電力を増加させるように、変換装置１４を制御する。つまり、放電状態を維持するために、第２指示部４８は、変換装置１４からの出力電圧を徐々に増加させる。これにより、消費用負荷６２が徐々に発熱し、低温ではない通常の蓄電池１２の状態に戻っていくので、通常の充放電が可能になる。また、消費用負荷６２は、電力の供給を受けるので、発熱する。この熱も、蓄電池１２の温度を増加させる。例えば、消費用負荷６２において発生した熱が、図示しないファンによって蓄電池１２の方へ送られたり、消費用負荷６２自体が蓄電池１２の下に配置されたりすることによって、消費用負荷６２の発熱が利用される。
【００３１】
図５は、制御部４０の制御による蓄電池の容量と温度の時間変化を示す。横軸が時間を示す。また、実線が、蓄電池１２の蓄電容量を示し、点線が、蓄電池１２の温度を示す。時間０からＴの間が放電期間に相当する。放電期間において、蓄電池１２の蓄電容量は放電のために減少する。また、蓄電池１２の温度は、放電および消費用負荷６２の発熱のために上昇する。
【００３２】
図６は、制御部４０の制御による放電電力の時間変化を示す。横軸は、時間を示しており、時間０からＴの範囲に限定される。つまり、図６は、図５の放電期間に相当する。縦軸は、蓄電池１２からの放電電力、つまり変換装置１４の交流側から出力される電力を示す。図示のごとく、時間経過とともに放電電力が増加し、途中から放電電力が一定値になる。図２に戻る。通知部５２は、第２指示部４８によって放電がなされている場合、放電中であることを通知する。例えば、放電中に発光ダイオードが点灯させられる。通知はこれに限定されない。第２指示部４８は、放電期間の終了タイミングを第３指示部５０に出力する。
【００３３】
第３指示部５０は、第２指示部４８から放電期間の終了タイミングを受けつける。第３指示部５０は、放電期間が終了すると、第１ＳＷ１８をオンさせ、第３ＳＷ６０をオフさせる。なお、第２ＳＷ２０は、Ｙ側に接続されたままである。第３指示部５０は、放電期間後の充電期間において、蓄電池１２を充電させる。図４での時間Ｔにおいて、第１ＳＷ１８が閉じられ、第２ＳＷ２０がＹ側に接続され、第３ＳＷ６０が開けられる。蓄電池１２は充電する。図５の充電期間において、蓄電池１２の蓄電容量は充電のために増加する。また、蓄電池１２の温度の上昇は、放電期間と比較して緩やかになる。図２に戻る。
【００３４】
溶着検出部６４は、消費用負荷６２に印加されている電圧を測定する。前述のごとく、放電期間において第３ＳＷ６０が閉じられることによって、消費用負荷６２への電圧の印加がなされる。一方、放電期間以外では、第３ＳＷ６０が開けられるので、消費用負荷６２への電圧の印加はなされない。しかしながら、そのような場合に第３ＳＷ６０が溶着されていれば、消費用負荷６２への電圧の印加がなされ、電力の損失が大きくなる。溶着検出部６４は、消費用負荷６２に印加されている電圧を測定するので、第３ＳＷ６０が溶着されていることを検出できる。
【００３５】
第１指示部４６は、次のように、放電から充電に続く処理を実行するかを決定してもよい。電流計３０は、太陽電池１０から蓄電池１２に入力される電流の値を測定する。電流の値の測定には公知の技術が使用されればよい。電流計３０は、電流の値を出力する。第２取得部４４は、電流計３０から、電流の値を取得する。
【００３６】
第１指示部４６は、第１取得部４２において取得した温度が第１しきい値よりも低い場合に加えて、第２取得部４４において取得した電流の値が第２しきい値よりも大きい場合に、放電から充電に続く処理の実行を決定する。つまり、第１指示部４６は、温度だけではなく、電流の量にも応じて、放電から充電に続く処理の実行を決定する。具体的には、前述のごとく、第１指示部４６は、第１ＳＷ１８をオフにすることによって、特定負荷２４から蓄電池１２を切断させるとともに、第３ＳＷ６０をオンにすることによって、消費用負荷６２に蓄電池１２を接続させる。また、第１指示部４６は、第３ＳＷ６０をオンさせたことを第２指示部４８に通知する。上記以外の場合、第１指示部４６は、処理を実行しない。
【００３７】
図３（ｂ）は、第１指示部４６に記憶されたテーブルのデータ構造を示す。図３（ｂ）でも、条件欄２００、処理欄２０２が含まれる。温度が第１しきい値よりも低くても、電流の値が第２しきい値以下であれば、第１指示部４６は、初期状態を維持させる。
【００３８】
この構成は、ハードウエア的には、任意のコンピュータのＣＰＵ、メモリ、その他のＬＳＩで実現でき、ソフトウエア的にはメモリにロードされたプログラムなどによって実現されるが、ここではそれらの連携によって実現される機能ブロックを描いている。したがって、これらの機能ブロックがハードウエアのみ、ハードウエアとソフトウエアの組合せによっていろいろな形で実現できることは、当業者には理解されるところである。
【００３９】
以上の構成による配電システム１００の動作を説明する。図７は、制御部４０の処理手順を示すフローチャートである。温度が第１しきい値より低ければ（Ｓ１０のＹ）、第２指示部４８は、時間０で蓄電池１２に放電させ（Ｓ１２）、時刻Ｔで蓄電池１２に充電させる（Ｓ１４）。一方、温度が第１しきい値より低くなければ（Ｓ１０のＮ）、制御部４０は、蓄電池１２に充電させる（Ｓ１６）。
【００４０】
本発明の実施例によれば、蓄電池の温度が低い場合、電力を大きくしながら消費用負荷に放電するので、急に大きな電流が出力される状況の発生を抑制できる。また、急に大きな電流が出力される状況の発生が抑制されるので、放電状態を維持できる。また、放電状態が維持されるので、放電によって蓄電池を暖めることができる。また、最終的には、放電される電流が大きくなるので、消費用負荷を発熱させることができる。また、消費用負荷が発熱されるので、発熱によって蓄電池を暖めることができる。
【００４１】
また、蓄電池が暖められるので、蓄電池の放電容量を簡易に確保できる。また、放電中であることを通知するので、充電していないことを知らせることができる。また、蓄電池の温度が低く、太陽電池からの電流が大きい場合に、電力を大きくしながら消費用負荷に放電するので、急に大きな電流が出力される状況の発生を抑制できる。また、いずれか一方が満たされない場合には、放電を行わずに直ちに充電を実行できる。
【００４２】
以上、本発明を実施例をもとに説明した。この実施例は例示であり、それらの各構成要素や各処理プロセスの組合せにいろいろな変形例が可能なこと、またそうした変形例も本発明の範囲にあることは当業者に理解されるところである。
【００４３】
本発明の実施例において、制御部４０は、管理装置１６に含まれている。しかしながらこれに限らず例えば、制御部４０は、変換装置１４に含まれていてもよい。本変形例によれば、設計の自由度を向上できる。
【００４４】
本発明の実施例において、発電するために太陽電池１０が設けられている。しかしながらこれに限らず例えば、太陽電池１０以外に、再生可能エネルギー源をもとした電力を生成するための装置が設けられてもよい。例えば、風力発電機である。本変形例によれば、配電システム１００の構成の自由度を向上できる。
【００４５】
本発明の実施例において、第２指示部４８は、変換装置１４を使用して三相電圧を印加している。しかしながらこれに限らず例えば、三相電圧でなくてもよく、印加する平均電圧を制御可能であればよい。本変形例によれば、設計の自由度を向上できる。
【００４６】
本発明の実施例において、消費用負荷６２は、抵抗負荷であるとしている。しかしながらこれに限らず例えば、消費用負荷６２は、モータ負荷でもよい。本変形例によれば、コンプレッサモータをインバータで制御して、ヒートポンプで発生する熱を利用することによって、より効率的に蓄電池を暖めることができる。
【符号の説明】
【００４７】
１０  太陽電池、  １２  蓄電池、  １４  変換装置、  １６  管理装置、  １８  第１ＳＷ、  ２０  第２ＳＷ、  ２２  商用電源、  ２４  特定負荷、  ２６  一般負荷、  ３０  電流計、  ３２  温度計、  ４０  制御部、  ４２  第１取得部、  ４４  第２取得部、  ４６  第１指示部、  ４８  第２指示部、  ５０  第３指示部、  ５２  通知部、  ６０  第３ＳＷ、  ６２  消費用負荷、  ６４  溶着検出部、  １００  配電システム。
【図１】
2013198270.tif 000003
【図２】
2013198270.tif 000004
【図３】
2013198270.tif 000005
【図４】
2013198270.tif 000006
【図５】
2013198270.tif 000007
【図６】
2013198270.tif 000008
【図７】
2013198270.tif 000009